(57)【特許請求の範囲】
【請求項１】
制御基板を収納する袋状の外装ケースと、前記制御基板の一端に設けられ外部からの配線が接続固定されるとともに、前記外装ケースの蓋を兼ねた端子台とからなり、前記外装ケースに挿通された固定ねじを前記端子台上に設けられたボスに締めることにより、前記端子台を前記外装ケースに収納した状態で固定する端末網制御装置において、前記端子台を前記外装ケースから引き出した状態で保持するための前記固定ねじの挿入保持部を前記端子台に設けたことを特徴とする端末網制御装置。
【請求項２】
前記ボスと前記挿入保持部とを繋ぐ溝を前記端子台上に設け、前記端子台を外装ケースに収納するとき、あるいは外装ケースから引き出すとき、前記固定ねじを前記溝を通って前記ボスから前記挿入保持部へ、あるいは前記挿入保持部から前記ボスへ導くようにしたことを特徴とする請求項１に記載の端末網制御装置。
【請求項３】
制御基板を収納する袋状の外装ケースと、前記制御基板の一端に設けられ外部からの配線が接続固定されるとともに、前記外装ケースの蓋を兼ねた端子台とからなり、前記端子台と前記外装ケースに挿通されたねじを壁面に締めることにより、前記端子台を前記外装ケースに収納した状態で固定する端末網制御装置において、前記端子台に前記ねじのガイドとなるスリットを設け、該スリットの一端で、前記端子台の上記固定を行い、外部からの配線を接続固定するために、前記ねじを前記スリットの他端に導き、前記ねじを締めて前記端子台を保持することを特徴とする端末網制御装置。
【請求項４】
前記端子台の蓋部には、前記端子台の引き出し方向に末広がる凹所が形成されており、該凹所の前記壁面側に前記スリットを形成するスリット板を設けたことを特徴とする請求項３に記載の端末網制御装置。
【請求項５】
前記スリットの一端の周囲に所定の深さと長さで、前記ねじの座ぐりを設けたことを特徴とする請求項３または４に記載の端末網制御装置。
【請求項６】
前記端子台と前記外装ケースとの間に凹凸嵌合機構を設け、前記外装ケースに前記端子台を固定するまでの間、その状態に前記端子台を仮に保持するようにしたことを特徴とする請求項１〜５のいずれかに記載の端末網制御装置。
【請求項７】
前記端子台を前記外装ケースから引き出すときに把持するリブを前記端子台の蓋部に設けたことを特徴とする請求項１〜６のいずれかに記載の端末網制御装置。
【発明の詳細な説明】
【０００１】
【発明の属する技術分野】
本発明は、端末機器が接続され電話回線を利用してセンター側装置との間でデータ通信を行う端末網制御装置に関するものである。
【０００２】
【従来の技術】
電話回線等の通信回線を利用してセンター側と端末側との間でノーリンギングによるデータ伝送を行う通信システムを図１１に示す。ホストコンピューターを備えたセンター側装置１は一般公衆回線網２を介して端末網制御装置３に接続されている。端末網制御装置３には、たとえばガスボンベ４のガスメータ５等のメータ、ガス漏れセンサ等の接点機器、電話機６がそれぞれ接続されている。
【０００３】
そして、センター側装置１から電話機６を鳴らさずにメータ５の検針を行ったり、端末網制御装置３からの発呼によってメータ５のデータやセンサによって検出した異常信号をセンター側装置１に伝送したりして、双方向の通信が行われる。
【０００４】
この端末網制御装置３は、図１０の分解斜視図に示すように、通信のために必要な通信回路、制御回路等を備えた制御基板（図示しない）にメータ５を接続するための端子台３０が接続され、袋状の外装ケース２０に収納される。外装ケース２０には、端子台３０を覆うためのカバー７０が着脱自在に嵌合されている。端子台３０は、外装ケース２０に設けられた取り付け部２２で、固定ねじ５０によってカバー７０とともに壁面に外装ケース２０にねじ止めされる。
【０００５】
【発明が解決しようとする課題】
図１０に示す端末網制御装置では、端子台３０に外部からの配線を接続固定する場合には、カバー７０を外装ケース２０から取り外す必要があり、作業がわずらわしいだけでなく、高所での配線接続固定作業時にカバー７０を落下させる場合があった。
【０００６】
【課題を解決するための手段】
そこで、本発明は、端子台３０を覆うカバー７０を廃止して、外部からの配線を接続固定する場合に、わずらわしいカバー７０の着脱作業から開放することを目的として、端子台３０に外装ケース２０の蓋を兼ねさせることにした。そして、外装ケース２０と端子台３０との間に保持機構を設け、ねじ１本で外装ケース２０から端子台３０を引き出して、その状態で端子台３０を外装ケース２０に保持するようにした。
【０００７】
具体的には、端子台３０上に固定ねじ５０の挿入保持部３２を設け、緩めた固定ねじ５０をこの挿入保持部３２に挿入することで、端子台３０を外装ケース２０から引き出した状態で保持する。
【０００８】
あるいは、端子台３０の蓋部４１を凹状に形成し、その凹所４７の後ろ側にスリット４２を設け、スリット４２とねじ５５をガイドとして、端子台３０を外装ケース２０から引き出し、スリット４２の上端で、ねじ５５によって、端子台３０を外装ケース２０から引き出した状態で保持する。
【０００９】
【発明の実施の形態】
以下、本発明の実施の形態について図面を参照して説明する。これらの図面においては、説明の便宜上、図１０および図１１に示す従来の端末網制御装置３と同一の部品や部分には同一の符号を附している。
【００１０】
（第１実施形態）
第１実施形態の端末網制御装置３を図面を参照して説明する。図１は、端子台３０に外部からの配線８０を接続固定するために端子台３０を外装ケース２０から引き出した状態の外観斜視図であり、図２はその中心線における縦断面図である。この端末網制御装置３は、図１および図２に示すように、通信のために必要な通信回路、制御回路等を備えた制御基板１０の一端にメータ５（図１１参照）を接続するための端子台３０が設けられ、袋状の外装ケース２０に収納される。
【００１１】
端子台３０上の幅方向の中央には、固定ねじ５０のガイドとなる縦（上下）に延びる溝３３が設けられている。この溝３３の上端には、固定ねじ５０の挿入保持部３２がある。さらに、溝３３の下端には、ボス３４が形成されている。ボス３４の内面には、ナット６０が装着されている。
【００１２】
挿入保持部３２とボス３４は、溝３３で繋がっている。したがって、固定ねじ５０を緩めてわずかに引き出した状態で端子台３０を縦にスライドさせることにより、溝３３を通って固定ねじ５０を挿入保持部３２からボス３４へ、あるいはボス３４から挿入保持部３２へ導けるようになっている。
【００１３】
端子台３０は、溝３３の左右で縦に上が高い階段になっており、各階に箱形に仕切られた端子保持部４６が一列に形成されている。この例では、低い階に２個、高い階に４個、合計６個（左右合わせると、１２個）の端子保持部４６が設けられている。各端子保持部４６には、端子４８がねじ止めされている。この端子保持部４６の下端は開口されており、この開口を通じて、束ねられた配線８０の１本１本が端子４８に接続される。
【００１４】
図１および図２のように、端子台３０を外装ケース２０から引き出した状態では、端子台３０は、固定ねじ５０が挿入保持部３２に挿入されることによって保持されており、制御基板１０の先端は、ケース２０の内面両側に設けられた台座２３によって支えられている。
【００１５】
端子台３０を外装ケース２０に収納するときには、端子台３０を矢印Ａの方向に押し上げて制御基板１０とともにスライドさせる。このとき、固定ねじ５０は溝３３を通って、外装ケース２０と固定するナット６０が装着されたボス３４に導かれる。逆に、端子台３０を外装ケース２０から引き出すときには、固定ねじ５０は溝３３を通って挿入保持部３２に導かれる。端子台３０の収納および引き出しを容易にするために、ボス３４の一方向には切り欠き３５が設けられ、また、固定ねじ５０のねじ先はとがり先に加工されている。
【００１６】
また、端子台３０の上端には、外装ケース２０の内面とのクリアランスを小さくするために、突起３６が設けられている。外装ケース２０の背面２０ｂは垂直に延びているが、前面２０ａは背面２０ｂ側へ若干傾斜している。そのため、外装ケース２０の内部は上へ向かうほど前後に狭くなっている。端子台３０を押し上げて外装ケース２０に収納すると、図４に示すように、突起３６が外装ケース２０の前面２０ａの内側の面に密着し、端子台３０のがたつきが防止される。なお、突起３６に代わりに、幅方向に延びるリブをその位置に設けてもよい。
【００１７】
この状態で、外部からの配線８０の端子台３０への接続固定が完了すると、端子台３０は外装ケース２０に収納され、固定ねじ５０によって固定される。図３はその状態を示した外観斜視図であり、図４はその断面図である。
【００１８】
端子台３０は、外装ケース２０の底面に蓋をするように収納される。その蓋部３１には、接続固定された配線８０を導出する切り欠き３７が設けられている。また、このとき制御基板１０の先端は、外装ケース２０内部の上端に設けられたリブ２４の溝に嵌ることによって保持されている。
【００１９】
さらに、蓋部３１の後ろ側には、台座３９が２箇所に形成され、その台座３９のウラ面に突起３８が一つずつ設けられている。この突起３８は、図５に示すように、外装ケース２０の背面２０ｂの下端に設けられた２箇所の穴２５とそれぞれ嵌合し、外装ケース２０と端子台３０を固定ねじ５０で固定するまでの間、その状態に端子台３０が仮に保持されるようになっている。さらに、台座３９のオモテ面には、リブ４０が併設されており、端子台３０を収納するとき、あるいは引き出すときは、このリブ４０のそれぞれを片手で把持する。
【００２０】
固定ねじ５０はそのねじ部５２の外径より細く、一定長さのねじを切っていない胴部５１を有している。外装ケース２０の前面２０ａには、取り付けた固定ねじ５０のねじ山が出っ張らないようにするために、円形の座ぐり５３が掘られており、その座ぐり５３の中心部に外装ケース２０を貫通するねじ穴５４が設けられている。ねじ穴５４の径は、固定ねじ５０の胴部５１の径とほぼ等しい寸法に選ばれており、固定ねじ５０を緩めても胴部５１がねじ穴５４内面に接触して脱落しないようになっている。
【００２１】
さらに、胴部５１の長さは、固定ねじ５０のねじ部５２が端子台３０のボス３４に装着されたナット６０から外れ、かつ台座３９に設けられた突起３８と外装ケース２０の穴２５との嵌合を外すために、その嵌合量（ｄ）だけ端子台３０を持ち上げても、ねじ部５２が端子台３０に当たらない長さに設定されている。
【００２２】
（第２実施形態）
第２実施形態の端末網制御装置３を図面を参照して説明する。図６は、端子台３０をケース２０に収納した状態の外観斜視図であり、図７はその中心線における縦断面図である。
【００２３】
第１実施形態と同様に、端子台３０に形成された蓋部４１に設けられた台座３９のウラ面の突起３８と、ケース２０の穴２５との嵌合によって、端子台３０がケース２０に収納されて仮に保持され、さらに、取り付けねじ５５によって、ケース２０と共締めされて壁面に完全に固定される。このとき制御基板１０の先端は、第１実施形態と同様にリブ２４によって保持されている。
【００２４】
端子台３０には、外装ケース２０の底面の蓋部４１が凹状に形成されて、その蓋部４１の中央部にある末広がりの凹所４７の後ろ側には、縦にスリット４２が入れられたスリット板４９が設けられている。端子台３０は、スリット板４９で壁面に外装ケース２０と共締めされる。
【００２５】
スリット４２は、外部からの配線を接続固定するために端子台３０を引き出す量に相当する長さが必要である。そのため、端子台３０が収納された状態では、凹所４７を外装ケース２０の内側に隠し、スリット４２の一部を外装ケース２０内部に取り込むようにしている。
【００２６】
端子台３０に外部からの配線を接続固定する場合には、取り付けねじ５５を一定量緩め、リブ４０を持ち上げるようにして、外装ケース２０の背面２０ｂの穴２５（図５参照）と嵌合している台座３９のウラ面の突起３８（図５参照）を外して、端子台３０を矢印Ｂの方向に引き出す。外装ケース２０の穴２５と端子台３０の突起３８との嵌合は、端子台３０を収納した状態で仮に保持するだけでなく、取り付けねじ５５を緩めたときに、端子台３０が飛び出ることも防止している。
【００２７】
また、スリット４２の下端の周囲には、所定の深さと長さの座ぐり４３を縦に設けている。座ぐり４３の深さは、嵌合量（ｄ）（図５参照）より大きく設定され、また、座ぐり４３の長さは、端子台３０の突起３８が外装ケース２０の背面２０ｂから外れるまでの長さ（Ｌ）（図５参照）より長く設定されている。したがって、座ぐり４３の周囲の高さまで取り付けねじ５５を緩めることで、容易に端子台３０を引き出せる状態になる。
【００２８】
図８は、端子台３０が外装ケース２０から引き出された状態を示した外観斜視図であり、図９のその中心線における縦断面図である。取り付けねじ５５とスリット４２とをガイドとして、スリット４２の上端と取り付けねじ５５が当たる状態まで端子台３０は引き出され、端子台３０の外部からの端子４８への配線８０の接続固定が可能になる。このとき、制御基板１０の先端は、第１実施形態と同様にケース２０の内面両側に設けられた台座２３によって支えられている。
【００２９】
また、蓋部４１の末広がりの凹所４７の幅を規定する斜面４４には、端子台３０に接続固定した配線８０を外部に導出するための切り欠き３７が設けられている。この切り欠き３７を通って配線８０を斜めに導出することで、切り欠き３７から雨水等が吹き上げにより浸入しても端子４８に水滴が付着することを防止している。さらに、斜面４４の内側の面に、切り欠き３７に繋がる薄辺状のリブ４５を水平方向に設けて、斜めに導出される配線８０を切り欠き３７の直前で水平に抑えることで一層その効果を高めている。
【００３０】
【発明の効果】
以上説明したように本発明によると、ねじ１本で端子台を外装ケースから引き出し、その状態で保持して、外部からの配線接続作業を手軽に行える。このとき、端子台に設けた溝やスリットでねじをガイドするようにしたので、端子台の引き出しを確実に行える。したがって、端子台を覆うカバーを廃止でき、わずらわしいカバーの着脱作業から開放することができる。
【図面の簡単な説明】
【図１】  本発明の第１実施形態の端末網制御装置で端子台を外装ケースから引き出した状態を示す外観斜視図である。
【図２】  その端末網制御装置で端子台を外装ケースから引き出した状態を示す中心線における縦断面図である。
【図３】  その端末網制御装置で端子台を外装ケースに収納した状態を示す外観斜視図である。
【図４】  その端末網制御装置で端子台を外装ケースに収納した状態を示す中心線における縦断面図である。
【図５】  端子台に設けられた突起と外装ケースの穴との嵌合を示す部分断面図である。
【図６】  本発明の第２実施形態の端末網制御装置で端子台を外装ケースに収納した状態を示す外観斜視図である。
【図７】  その端末網制御装置で端子台を外装ケースに収納した状態を示す中心線における縦断面図である。
【図８】  その端末網制御装置で端子台を外装ケースから引き出した状態を示す外観斜視図である。
【図９】  その端末網制御装置で端子台を外装ケースから引き出した状態を示す中心線における縦断面図である。
【図１０】  従来の端末網制御装置を示す分解斜視図である。
【図１１】  ノーリンギングによるデータ伝送を行う通信システムの概略構成図である。
【符号の説明】
１０    制御基板
２０    外装ケース
３０    端子台
３１    蓋部
３３    溝
４１    凹状蓋部
４２    スリット
５０    固定ねじ
５５    壁面取り付けねじ
【図１】
0003963780.tif 000002
【図２】
0003963780.tif 000003
【図３】
0003963780.tif 000004
【図４】
0003963780.tif 000005
【図５】
0003963780.tif 000006
【図６】
0003963780.tif 000007
【図７】
0003963780.tif 000008
【図８】
0003963780.tif 000009
【図９】
0003963780.tif 000010
【図１０】
0003963780.tif 000011
【図１１】
0003963780.tif 000012